(57)【要約】      （修正有）【課題】低コストでしかも構成を簡単にした動力伝達切換機構の提供を目的とする。【解決手段】左右の架台２，３に回転自在で且つ摺動可能に軸支された軸１と、該軸１の一方側に摺動可能に設けられた第一伝動系の傘歯車４の駆動歯車５と該軸の他方側に軸止された第二伝動系の傘歯車１０の駆動歯車１１を備え、前記第一伝動系及び第二伝動系の駆動歯車間において軸１に固設されたばね座１５と前記の第一駆動系の駆動歯車４との間で軸に巻回されたコイルばね１７と、軸１の一方側端に摺動可能に設けられたハンドル１８と第一駆動系の駆動歯車４との間でハンドル１８の移動とともに前記の第一駆動系の駆動歯車５も移動せしめるように該軸１に摺動可能に遊嵌されたカラー２１とよりなり、前記の軸１は、その右端が右方の架台３より少しばかり突出される長さに構成した。【選択図】図１
2008208856.tif 000002
【特許請求の範囲】
【請求項１】
左右の架台に回転自在で且つ摺動可能に遊嵌された軸と、該軸の左側に摺動可能に設けられた第一伝動系の傘歯車の駆動歯車と該軸の右側に軸止された第二伝動系の傘歯車の駆動歯車を備え、前記第一伝動系及び第二伝動系の駆動歯車間において軸に固設されたばね受座と前記の第一駆動系の駆動歯車との間で軸に巻回されたコイルばねと、軸の左端に摺動可能に設けられたハンドルと第一駆動系の駆動歯車との間で前記ハンドルの移動に伴って駆動歯車をともに移動せしめるべく設けられた該軸に摺動可能に遊嵌したカラーとよりなり、前記の軸は、その右端が右方の架台より少しばかり突出される長さに構成されていることを特徴とする動力伝達切換機構。
【発明の詳細な説明】
【技術分野】
【０００１】
本発明は、例えばテーブル上で種々の作業を行うとき等において被作業物のずれが生じた場合等においてテーブルの左又は右を各別に水平方向に移動させる必要があるときに、動力伝達機構を左又は右に選択可能に切換えるための動力伝達切換機構に関する。
【背景技術】
【０００２】
従来のこの種の動力伝達切換装置として、駆動源Ｍと常時噛合するスライドギア１０２を摺動軸１０１上に摺動自在とし、正逆転モーターＭ１のモーター軸Ｍａ１に固着したウオーム１０５に揺動自在にウオームホイル１０６を噛合させ、該ウオームホイル１０６の揺動支点側と結ばれる弾性連結体１０７を前記のスライドギア１０２に連結し、前記の摺動軸１０１上にはストッパー１０３・１０４を設け、摺動軸１０１上を摺動自在のスライドギア１０２がストッパー１０３に当接する位置になると、第一伝動系の第一伝動軸１１１に固設の伝動ギア１１１ａに噛合し、また、ストッパー１０４に当接する位置になると、第二伝動系の中の伝動軸１１２に固設の伝動ギア１１２ａに噛合する。このように、摺動軸１０１上を摺動するスライドギア１０２の摺動位置によって選択的に第一伝動系の伝動ギア１１１ａか、あるいは第二伝動系の伝動ギア１１２ａのいずれかに噛合し、動力の伝達を切換ることができるものが提案されている（特許文献１）。
【特許文献１】特開平１０ー４７４４４合公報
【発明の開示】
【発明が解決しようとする課題】
【０００３】
前記した特許文献１においては、正逆転モーターＭ１のモーター軸Ｍａ１に固着したウオーム１０５に揺動自在ウオームホイル１０６を噛合させ、該ウオームホイル１０６の揺動支点側と弾性連結体１０７とを結び、これを前記のスライドギア１０２に連結し、前記の摺動軸１０１上に設けたストッパー１０３・１０４にスライドギア１０２を当接させることにより、動力伝達を選択的に切換えるものであるが、正逆転モーターやウオーム、ウオームホイル等を必要とし、構造が複雑となり、コストの点でも高価となるという問題がある。そこで本発明は、低コストでしかも構成を簡単にした動力伝達切換機構の提供を目的とするものである。
【課題を解決するための手段】
【０００４】
本発明に係る動力伝達切換機構は、前記の目的を達成するために、左右の架台に回転自在で且つ摺動可能に遊嵌された軸と、該軸の左側に摺動可能に設けられた第一伝動系の傘歯車の駆動歯車と該軸の右側に軸止された第二伝動系の傘歯車の駆動歯車を備え、前記第一伝動系及び第二伝動系の駆動歯車間において軸に固設されたばね受座と前記の第一駆動系の駆動歯車との間で軸に巻回されたコイルばねと、軸の左端に摺動可能に設けられたハンドルと第一駆動系の駆動歯車との間で前記ハンドルの移動に伴って駆動歯車をともに移動せしめるべく設けられた該軸に摺動自在に遊嵌されたカラーとよりなり、前記の軸は、その右端が右方の架台より少しばかり突出される長さで構成されていることをその特徴とするものである。
【発明の効果】
【０００５】
本発明に係る動力伝達切換機構は、軸の左側に軸方向に摺動可能に設けられた第一駆動系の傘歯車の駆動歯車と軸の右側に軸止された第二駆動系の傘歯車の駆動歯車を備え、前記軸に設けられた第一駆動系と第二駆動系の両駆動歯車間に固定したばね受座と前記の第一駆動系の駆動歯車との間にコイルばねを軸に巻回し、軸の左端に軸に対して摺動可能に設けられたハンドルと第一駆動系の駆動歯車との間に該軸に摺動可能に遊嵌されたカラーを設け、前記の軸は、その右端が右方の架台より少しばかり突出される長さで構成されているので、軸をコイルばねの弾力に抗して左方に移動させれば軸に軸止されている第二駆動系の傘歯車の駆動歯車は軸とともに移動し、被動歯車との噛合が解除され、第一駆動系の傘歯車のみで軸の回転を伝達することができる。
【０００６】
第一駆動系の傘歯車の噛合せを解除するには左端に設けられているハンドルを右方に押し出すと、それにつれて該ハンドルと第一駆動系の傘歯車の駆動歯車との間でハンドルの移動に伴って駆動歯車もともに移動すべく設けられた軸に遊嵌されているカラーを押すこととなりその結果、第一駆動系の駆動歯車をコイルばねの附勢力に抗して駆動歯車を右方に移動させることができ被動歯車との噛合せを解除することができる。
【０００７】
このように、本発明にあっては、前記した軸に遊嵌されたカラー及びコイルばねの存在により第一駆動系の傘歯車の噛合せの解除のときには軸は移動することなくハンドルの操作によるカラーの移動により前記の傘歯車の駆動歯車の移動は可能であり、また、第二駆動系の傘歯車の噛合せの解除のときにはハンドルの操作によりコイルばねの附勢力に抗して行われる軸の移動により軸に固定の駆動歯車を移動させることができるものであり、いずれの傘歯車の噛合の解除もハンドルの操作で簡単に実施できるとする効果を奏するものである。
【発明を実施するための最良の形態】
【０００８】
本発明の実施の形態を説明すると、図１は、第一及び第二駆動系の傘歯車の駆動歯車と被動歯車がともに噛合状態のときを示し、図２は第二駆動系の傘歯車の噛合を解除したときの状態を示し、図３は、第一駆動系の傘歯車の噛合せを解除したときの状態を示し、これを説明すると、１は軸であり、該軸１は、左右の架台２，３に回転自在で且つ摺動自在に軸支されている。前記した軸１の左側部であって左方の架台２の内側に第一駆動系の傘歯車４が設けられ、該傘歯車４の駆動歯車５の内周面軸方向にはキー溝(図示しない)が形成されており、軸１に設けられた軸方向に所要の長さを有するキー８に前記の駆動歯車５に形成のキー溝を係合させることによって駆動歯車５を回転自在で且つ軸方向に摺動可能に構成している。また、７は、前記駆動歯車５と噛合する傘歯車の被動歯車である。
【０００９】
軸１の右方であって右側の架台３の内側に第二駆動系の傘歯車１０が設けられ、該傘歯車１０の駆動歯車１１は軸１に軸止されている。１２は前記駆動歯車１１と噛合する傘歯車１０の被動歯車である。そして前記した第一駆動系の傘歯車４の駆動歯車５及び第二駆動系の傘歯車１０の駆動歯車１１はいずれもその背面側が内側に向き合う状態で傘歯車４及び１０を構成してある。
【００１０】
１５は、軸１に固設されたばね座であり、該ばね座１０は、軸１の中央よりやや左方よりに設けられ、前記した第一駆動系の傘歯車４の駆動歯車５の背面部にはばね受け座１６が設けられており、前記したばね座１５とばね受け座１６との間にコイルばね１７が軸１に巻回されている。
【００１１】
１８は、軸１の左方端に該軸1に所要の長さで形成されたキー１９に係合されるキー溝(図示しない)を設けたハンドルであり、該ハンドルは前記したキー１９とキー溝により軸１を回転させるとともに軸方向に摺動可能とされている。２１は、一方の端部をハンドル１８に他方の端部を第一駆動系の駆動歯車５に当接させて軸１に摺動可能に遊嵌したカラーである。したがって、該カラー２１は、ハンドル１８と駆動歯車５との間の距離に相当する長さで構成されるものであり、前記ハンドル１８の移動とともに第一駆動系の駆動歯車５も同時に移動せしめることができるものである。また、前記した軸１は右方の架台３より長さLだけ突出する長さとされている。その長さLは第二駆動系の傘歯車１０の駆動歯車１１が被動歯車１２よりその噛合が解除可能な長さであればよい。また、２２は軸１の左端に固定されるストッパーであり、２３は軸１の右端に固定されるストッパーである。
【００１２】
本実施の形態は上記のように構成されるので、その作用を説明すると、軸１の左右の第一駆動系の傘歯車４及び第二駆動系の傘歯車１０は軸1に巻回されたコイルばね17によって附勢され、前記の両傘歯車４及び１０は、それぞれ噛合した状態となっている。このときハンドル１８を手動で回転させれば、第一駆動系の傘歯車４及び第二駆動系の傘歯車１０の被動歯車７及び１２は回転し、該被動歯車７及び１２に固定のねじ軸２４、２５を回転させ、該ねじ軸２４，２５に連結される従来より知られている周知の機構によりテーブル２６を前後方向に移動させるものであるが、テーブル上において各種の作業をしているとき、テーブル上の被作業物が加工用の工具等との間に微妙なズレを生じたとき、そのズレを解消するためにテーブル２６の一方のみを平面的に移動させる必要がある。このようなとき、本実施の形態においては次のような操作を行うことによって容易に可能となるものである。
【００１３】
第一駆動系の傘歯車４のみを回転させ、第一駆動系の動力を必要な機構に伝達させる場合は、ハンドル１８を矢印Ａ方向に手動で移動させれば、軸１は、該軸１に固定のばね座１５と第一駆動系の傘歯車４の駆動歯車４背面側に設けられたばね受け座１６との間に巻回されているコイルばね１７の附勢力に抗してハンドル１８の移動方向に（A方向）移動される。このとき、軸１は右方の架台３より少しばかり突出する長さＬで構成されているので軸１の左方(A方向)への移動には何らの困難性はなく容易に移動させることができ、その結果、第二駆動系の傘歯車１０の駆動歯車１１と被動歯車１２の噛合を解除することができる。このとき、第一駆動系の傘歯車４は噛合状態であり、この状態のままでハンドル１８を手動で回転させれば第一駆動系の傘歯車４を回転させることができる。また、第二駆動系の傘歯車１０を元の噛合状態に戻すときはハンドル１８を元の状態に押し戻すように移動させればコイルばね１７の復元力と相俟って容易に元の状態となり第二駆動系の傘歯車１０は噛合状態となる。
【００１４】
また、第一駆動系の傘歯車４の駆動歯車５と被動歯車７との噛合せを解除して、第二駆動系の傘歯車１１を回転させ第二駆動系のみを伝動させるときは、軸１の左端部に設けられたキー１９に係合されるキー溝を備え軸１に摺動可能とされているハンドル１８を矢印Ｂ方向に手動にて移動させると前記ハンドル１８と第一駆動系の傘歯車４の駆動歯車５との間に、ハンドル１８の移動とともに前記駆動歯車５をともに移動させるべく両端をハンドル１８と駆動歯車５に当接して軸１に摺動自在に遊嵌されているカラー２１によって、前記の駆動歯車５はコイルばね１７に抗して右方(矢印B方向)に移動され傘歯車４の駆動歯車５と被動歯車９の噛合せは解除されることになる。このとき、第二駆動系の傘歯車１０は噛合状態のままであり、この状態でハンドル１８を手動で回転させれば第二駆動系によって必要な作業をすることができる。元の噛合せに戻すにはハンドル１８を前記と逆方向に移動させれば前記のコイルばね１７の復元力と相俟って容易に噛合せ状態とすることができる。
【００１５】
前記した第一駆動系の傘歯車４及び第二駆動系の傘歯車１０の噛合を解除したとき、そのままの状態で停止する手段については、解除した状態のまま手動でハンドルを回転させることにより選択した駆動系の傘歯車を回転させることができ、作業終了後は直ちに元の噛合状態に戻せばよいものであるが、解除した状態のまま停止させる手段についてはノッチ等により容易に実施可能である。
【００１６】
上記したように、本実施の形態によるときは、第一駆動系の傘歯車４の駆動歯車５を軸１に回転自在で且つ摺動可能に構成し、ハンドル１８の移動とともに前記駆動歯車５をともに移動させるべく該ハンドル１８と駆動歯車５との間の距離で構成されて配設され軸１に遊嵌されているカラー２１により、第一駆動系の傘歯車４の噛合せの解除のときには軸１は移動することなくカラー２１の移動により前記の傘歯車４の駆動歯車５を移動せしめて傘歯車４の噛合の解除は可能であり、また、第二駆動系の傘歯車１０の噛合せの解除のときには軸１に固定の駆動歯車１１の移動はコイルばね１７の附勢力に抗して軸１を移動させることによって容易に実施できるものであり、いずれの傘歯車の噛合の解除もハンドルの操作のみで簡単に実施できるとする実用的な効果を奏するものである。
【００１７】
本発明は、動力伝達切換えを機械的に簡単な構成で可能としたもので、既製の機械等に取り付け可能であり、操作は手動であり、容易に実施できるもので安価に提供できるものであるという実利的な効果も併せ持つものである。
【図面の簡単な説明】
【００１８】
【図１】第一駆動系及び第二駆動系の傘歯車がともに噛合状態のときの説明図
【図２】第二駆動系の傘歯車の噛合せが解除されたときの説明図
【図３】第一駆動系の傘歯車の噛合せが解除されたときの説明図
【図４】従来の動力伝達切換装置の説明図
【符号の説明】
【００１９】
１        軸          
４        第一駆動系の傘歯車
５        駆動歯車
１０      第二駆動系の傘歯車
１１      駆動歯車
１７      コイルばね
１８      ハンドル
２１      カラー
【図１】
2008208856.tif 000003
【図２】
2008208856.tif 000004
【図３】
2008208856.tif 000005
【図４】
2008208856.tif 000006